(57)【要約】【課題】トンネル開閉作業に要する労力を軽減し、時間を短縮できると共に、装置設置作業が容易であり、装置導入に要する費用も低減できるトンネル開閉装置を提供する。【解決手段】床土の長さ方向に直角にアーチ状に複数のトンネル支柱２を設置し、トンネル支柱２と平行に複数のアーチ状のロープ案内杆３を設置する。トンネル支柱２の上側に被覆シート４を載置し、被覆シート４の一側部をシート支持杆５によって支持する。駆動ロープ６によってシート支持杆５を牽引し、床土の長さ方向に沿ってロープ巻取杆７を設置し、ロープ巻取杆７をハンドル８によって回転させる。【選択図】図１
2008092836.tif 000002
【特許請求の範囲】
【請求項１】
床土の長さ方向に直角にアーチ状に設置される複数のトンネル支柱と、これらトンネル支柱と平行に設置される複数のアーチ状のロープ案内杆と、前記トンネル支柱の上側に載置して被覆される被覆シートと、この被覆シートの一側部を支持するシート支持杆と、このシート支持杆を牽引する駆動ロープと、床土の長さ方向に沿って設置されるロープ巻取杆と、ロープ巻取杆を回転させるハンドルとから構成されるトンネル開閉装置。
【請求項２】
前記ハンドルは、携帯可能であって、前記ロープ巻取杆と連結自在であることを特徴とする請求項１に記載のトンネル開閉装置。
【請求項３】
前記シート支持杆は、両側部に係止溝部を形成したコ型断面を呈する長い杆状部材であって、前記被覆シートの一側部に波形スプリングを押し当て、この波形スプリングの頂部を前記係止溝部に挿入させて、被覆シートの一側部を支持するものであることを特徴とする請求項１又は２に記載のトンネル開閉装置。
【発明の詳細な説明】
【技術分野】
【０００１】
本発明は、農業用ビニールハウス内に設置したトンネルに付設され、被覆シートをトンネル支柱に被せたり、剥いだりするトンネル開閉装置に関する。
【背景技術】
【０００２】
冬季から春季にかけて作物の育苗を行なう際、地温や気温を高めるために、農業用ビニールハウス内に更にトンネルを設置し、被覆シートによって床土全体を覆い、作物の発芽や生育を促進する方法が採用されている。
ここで、トンネルとは、図１３に示すように、ビニールハウス内の床土に１〜２ｍ間隔で可撓性ポールの両端部を差し込んでアーチ状のトンネル支柱１０１を形成し、その上側にポリエレンフィルム等からなる被覆シート１０２を被覆して、保温効果を高めたものである。
【０００３】
しかし、ビニールハウス内においても、気温は日出とともに上昇し、日没とともに下降する他、気象条件によっても変化するから、作物の発芽や生育にとって適切な温度を保持するためには、適宜被覆シート１０２を被せたり、剥いだりして、トンネルを開閉する作業が必要となる。
【０００４】
従来、トンネルを開閉する作業は、図１３に示すように、作業者が被覆シート１０２の一端部をトンネルの一端部に設置したトンネル支柱１０１に被せた後、被覆シート１０２の他端部を把持してトンネルの他端部まで歩きながら順次トンネル支柱１０１に被覆シート１０２を被せていき、図１４に示すように、その逆の手順によって被覆シート１０２を剥いでいく、という人手による作業を行なっていた。
【０００５】
一方、トンネル開閉作業に要する労力を軽減し、時間を短縮するため、被覆シートの一側部にロープの一端部を固定し、ロープをビニールハウスの骨格を構成するパイプに滑車等を介して掛け回し、ロープの他端部を牽引することによって、被覆シートを被せ、又剥いで、トンネルを開閉する装置が提案されている（例えば、特許文献１参照）。
【０００６】
【特許文献１】特開平９−７０２３２号公報
【発明の開示】
【発明が解決しようとする課題】
【０００７】
トンネル開閉作業を人手による場合は、作業者が被覆シート１０２の他端部を把持してトンネルの一端部から他端部まで歩きながらトンネル支柱１０１に被覆シート１０２を被せ、又は被覆シート１０２を剥いでいくから、開閉作業は面倒かつ時間が掛かり、ビニールハウスの棟数が多くなると、多大な労力と時間を要するため、経営規模の拡大を図る上で大きな障害となった。
【０００８】
一方、ロープを牽引するトンネル開閉装置は、開閉作業に要する労力を軽減し、時間を短縮することはできるものの、ビニールハウスの骨格を構成するパイプに滑車を設置し、ロープを掛け回す等して構成しなければならず、設置作業が面倒であった。又、部品点数も多く、装置を導入するのに多大な費用が掛かった。
【０００９】
トンネル開閉作業を人手による場合、ロープを牽引するトンネル開閉装置の何れにおいても、被覆シート１０２をトンネル支柱１０１に完全に被せるか、剥がすしかなく、被覆程度を調整することができないため、適切な温度管理をすることが困難であった。
【００１０】
本発明は、かかる従来の問題点に鑑みて為されたものであって、その目的とするところは、トンネル開閉作業に要する労力を軽減し、時間を短縮することができると共に、装置設置作業が容易であり、装置導入に要する費用も低減することができ、しかも、トンネルの開閉程度を調整することができて、適切な温度管理をすることができるトンネル開閉装置を提供することにある。
【課題を解決するための手段】
【００１１】
上記目的を達成するために、本発明のトンネル開閉装置は、床土の長さ方向に直角にアーチ状に設置される複数のトンネル支柱と、これらトンネル支柱と平行に設置される複数のアーチ状のロープ案内杆と、前記トンネル支柱の上側に載置して被覆される被覆シートと、この被覆シートの一側部を支持するシート支持杆と、このシート支持杆を牽引する駆動ロープと、床土の長さ方向に沿って設置されるロープ巻取杆と、ロープ巻取杆を回転させるハンドルとから構成したことを特徴とする。
【００１２】
かかる構成によれば、作業者はハンドルを回転させるだけで、トンネル支柱に被覆シートを被せ、又は被覆シートを剥がすことができるから、トンネルの開閉作業は極めて簡単であり、時間も掛からない。
【００１３】
ここで、前記ハンドルは、携帯可能であって、前記ロープ巻取杆と連結自在であることが好ましい。
【００１４】
又、前記シート支持杆は、両側部に係止溝部を形成したコ型断面を呈する長い杆状部材であって、前記被覆シートの一側部に波形スプリングを押し当て、この波形スプリングの頂部を前記係止溝部に挿入させて、被覆シートの一側部を支持するものであることが好ましい。
【発明を実施するための最良の形態】
【００１５】
以下、本発明のトンネル開閉装置の好適な実施形態について、図面を参照して詳細に説明する。
図１は、本発明のトンネル開閉装置において、被覆シートを剥した状態における斜視図、図２は、ロープ案内杆設置部近傍における斜視図、図３は、シート支持杆載置部近傍における斜視図、図４は、被覆シートの一側部における斜視図、図５は、ロープ接続部材の平面図、図６は、同側面図、図７は、同底面図、図８は、ロープ案内杆の一端部における斜視図、図９は、ハンドルの正面図、図１０は、ロープ巻取杆にハンドルを連結する方法を示す説明図である。
【００１６】
本発明のトンネル開閉装置１は、図１に示すように、床土の長さ方向に直角にアーチ状に設置される複数のトンネル支柱２，２，・・・と、これらトンネル支柱２と平行に設置される複数のアーチ状のロープ案内杆３，３，・・・と、トンネル支柱２の上側に載置して被覆する被覆シート４と、被覆シート４の一側部を支持するシート支持杆５と、シート支持杆５を牽引する駆動ロープ６，６と、床土の長さ方向に沿って設置されるロープ巻取杆７，７と、ロープ巻取杆７を回転させるハンドル８とから構成されている。
【００１７】
トンネル支柱２は、可撓性を有するプラスチック製で、薄肉矩形断面を呈する長い板状部材であって、図１に示すように、その両端部を床土の両側部に差し込み、湾曲させてアーチ状としたものである。
トンネル支柱２は、その長さ方向を床土の長さ方向に直角に配置すると共に、床土の長さ方向に１〜２ｍの間隔で略等間隔に複数設置してある。
【００１８】
ロープ案内杆３は、図２に示すように、トンネル支柱２を構成する板状部材３１，３１を３ｃｍ程度の間隔で２本並行させ、板状部材３１の長さ方向に所定間隔で２本の板状部材３１，３１を連結片３２，３２，・・・によって連結したものであって、その両端部を床土の両側部に差し込み、湾曲させてアーチ状としたものである。
ロープ案内杆３は、その長さ方向を床土の長さ方向に直角に配置すると共に、床土の長さ方向にトンネル支柱２を３本設置する毎に１本の割合で複数設置してある。
【００１９】
被覆シート４は、図１に示すように、農業用塩化ビニルフィルム、ポリエチレンフィルム等のプラスチックフィルムを床土を完全に被覆する面積に裁断したシート状部材であって、トンネル支柱２，２，・・・の上側に載置して、被覆するものである。
【００２０】
シート支持杆５は、図３に示すように、亜鉛鋼板等の薄肉金属板を成形し、両側部に係止溝部５ａ，５ａを形成したコ型断面を呈する長い杆状部材であって、トンネル支柱２，２，・・・、ロープ案内杆３，３，・・・の上側に、その長さ方向を床土の長さ方向に沿って載置してある。
【００２１】
被覆シート４の一側部をシート支持杆５の上側に位置させ、図４に示すように、被覆シート４の上面に波形スプリング５１の側面を押し当て、その頂部をシート支持杆５の係止溝部５ａ，５ａに挿入させて、被覆シート４の一側部を固定、支持するようにしてある。
【００２２】
駆動ロープ６は、合成繊維を線材とする直径３ｍｍ程度の強度の高いロープであって、図２に示すように、ロープ案内杆３の連結片３２，３２，・・・の外側面に当接するように配置され、その一端部はロープ接続部材９に連結され、他端部はロープ巻取杆７に巻き取られる。
【００２３】
ロープ接続部材９は、図５乃至７に示すように、両側部に、上端部において折曲させた掛止部９ａ，９ａ，・・・、側方に突出する接続片９ｂ，９ｂを形成してあると共に、中間部に、下方に突出する規制片９ｃ，９ｃを形成してある。そして、接続片９ｂには取付孔９１を穿設してある。
【００２４】
図３に示すように、シート支持杆５の一端部から順次ロープ接続部材９，９，・・・を嵌合させ、ロープ接続部材９，９，・・・をロープ案内杆３，３，・・・が配置されている位置まで移動させる。
そして、ロープ案内杆３の両側端にロープ接続部材９の規制片９ｃ，９ｃを位置させ、接続片９ｂ，９ｂの取付孔９１，９１に駆動ロープ６，６の一端部を挿通させ、縛着させて、ロープ接続部材９に駆動ロープ６，６を接続する。
【００２５】
ロープ巻取杆７は、図８に示すように、薄肉金属管から成る管状部材であって、床土の長さ方向に沿って幅方向両側部に設置してあり、ロープ案内杆３，３，・・・が配置される位置に、鍔状部７１，７１を両側に形成した巻取部７２を形成してある。又、一端部には連結片７３を突設してある。
図８に示すように、ロープ巻取杆７は、所定間隔で複数の固定杭１０，１０，・・・によって回転可能に床土に固定してあると共に、ロープ巻取杆７の巻取部７２には、駆動ロープ６の他端部を固定させ、巻き回してある。
【００２６】
ハンドル８は、図９に示すように、管状部８１の一端部にクランク状とした把持部８２を連結すると共に、他端部に連結片８３を突設してある。
図１０に示すように、ハンドル８の連結片８３とロープ巻取杆７の連結片７３とをピン等によって連結し、把持部８２を把持して管状部８１を回転させれば、ロープ巻取杆７を回転させることができるようになっている。
【００２７】
本発明のトンネル開閉装置１は、以上のような構成であって、以下のように使用して、トンネルの開閉作業を行なう。
【００２８】
晴天時にあっては、昼間においては、日光が良く差し込むから、ビニールハウス内の地温や気温は比較的に高くなり、トンネル内があまり高温にならないように、図１に示すように、被覆シート４を剥がして、すなわち、トンネルを開放しておく。
【００２９】
夕方になったら、ビニールハウス内の地温や気温も低くなってくるので、作業者はハンドル８を持参して、一方のロープ巻取杆７の一端部まで歩いていく。
そして、図１０に示すように、ハンドル８の連結片８３と一方のロープ巻取杆７の連結片７３とをピン等によって連結する。
【００３０】
作業者がハンドル８の把持部８２を把持し、管状部８１を回転させれば、一方のロープ巻取杆７が回転するから、ロープ巻取杆７の巻取部７２に駆動ロープ６が巻き取られていく。
これによって、駆動ロープ６がロープ案内杆３に沿って移動し、ロープ接続部材９を介して接続されたシート支持杆５が駆動ロープ６に牽引されて、図１１に示すように、トンネル支柱２の一端部に向かって移動するから、被覆シート４の一端部も移動し、トンネル支柱２を徐々に覆っていく。
【００３１】
さらに、一方のロープ巻取杆７を回転させれば、駆動ロープ６がさらに移動し、シート支持杆５が牽引され、被覆シート４の一端部もさらに移動する。
そして、図１２に示すように、被覆シート４の一端部をトンネル支柱２の一端部まで移動させれば、被覆シート４によってトンネル支柱２を完全に覆う、すなわち、トンネルを完全に閉鎖させることができる。
【００３２】
早朝になったら、ビニールハウス内の地温や気温も高くなってくるので、作業者はハンドル８を持参して、他方のロープ巻取杆７の一端部まで歩いていく。
そして、ハンドル８の連結片８３と他方のロープ巻取杆７の連結片７３とをピン等によって連結する。
【００３３】
上記と同様にして、作業者がハンドル８の把持部８２を把持し、管状部８１を回転させれば、他方のロープ巻取杆７が回転するから、ロープ巻取杆７の巻取部７２に駆動ロープ６が巻き取られていく。
これによって、駆動ロープ６がロープ案内杆３に沿って移動し、シート支持杆５が駆動ロープ６に牽引されて、トンネル支柱２の他端部に向かって移動するから、被覆シート４の一端部も移動し、トンネル支柱２から徐々に剥がれていく。
【００３４】
さらに、他方のロープ巻取杆７を回転させれば、駆動ロープ６がさらに移動し、シート支持杆５が牽引され、被覆シート４の一端部もさらに移動する。
そして、図１に示すように、被覆シート４の一端部をトンネル支柱２の他端部まで移動させれば、被覆シート４はトンネル支柱２から完全に剥がされ、すなわち、トンネルを完全に開放させることができる。
【００３５】
雨天時、曇天時にあっては、昼間においても、日光が差し込まず、ビニールハウス内の地温や気温も高くならないから、トンネル内が低温にならないように、被覆シート４を被せて、すなわち、トンネルを閉鎖しておく。
【００３６】
以上の如く、本発明のトンネル開閉装置１によれば、作業者はハンドル８とロープ巻取杆７とを連結し、ハンドル８を回転させるだけであるから、トンネル支柱２に被覆シート４を被せ、又は被覆シート４を剥がす作業、トンネルの開閉作業は簡単であり、時間も掛からない。
よって、ビニールハウスの棟数が多くなった場合に、トンネルの開閉作業に要する労力を大幅に軽減し、時間を大幅に短縮することができるから、経営規模の拡大を図る上で大きな利点がある。
【００３７】
又、本発明のトンネル開閉装置１は、ビニールハウスの骨格を構成するパイプに滑車を設置し、ロープを掛け回す等して構成する大掛かりなものではなく、トンネルの周辺部にのみ構成部材を配置するものであり、しかも、構成が極めて簡易なものであるから、設置作業も極めて簡易である。
さらに、ロープ案内杆３、シート支持杆５、駆動ロープ６、ロープ巻取杆７、ハンドル８が付加される主たる構成部材であり、部品点数も比較的に少ないから、トンネル開閉装置１を導入するのにそれ程費用は掛からない。
【００３８】
又、本発明のトンネル開閉装置１によれば、ロープ巻取杆７の巻取部７２への駆動ロープ６の巻取量を適宜調整すれば、シート支持杆５の停止位置を適宜設定することができ、
被覆シート４による被覆程度を調整することができるから、季節又は天候に対応させて、適切な温度管理をすることができる。
【図面の簡単な説明】
【００３９】
【図１】本発明のトンネル開閉装置において、被覆シートを剥した状態における斜視図である。
【図２】ロープ案内杆設置部近傍における斜視図である。
【図３】シート支持杆載置部近傍における斜視図である。
【図４】被覆シートの一側部における斜視図である。
【図５】ロープ接続部材の平面図である。
【図６】ロープ接続部材の側面図である。
【図７】ロープ接続部材の底面図である。
【図８】ロープ案内杆の一端部における斜視図である。
【図９】ハンドルの正面図である。
【図１０】ロープ巻取杆にハンドルを連結する方法を示す説明図である。
【図１１】本発明のトンネル開閉装置において、被覆シートを一部被せた状態における斜視図である。
【図１２】本発明のトンネル開閉装置において、被覆シートを被せた状態における斜視図である。
【図１３】人手によって被覆シートを被せる方法を示す説明図である。
【図１４】人手によって被覆シートを剥す方法を示す説明図である。
【符号の説明】
【００４０】
１  トンネル開閉装置
２  トンネル支柱
３  ロープ案内杆
４  被覆シート
５  シート支持杆
６  駆動ロープ
７  ロープ巻取杆
８  ハンドル
【図１】
2008092836.tif 000003
【図２】
2008092836.tif 000004
【図３】
2008092836.tif 000005
【図４】
2008092836.tif 000006
【図５】
2008092836.tif 000007
【図６】
2008092836.tif 000008
【図７】
2008092836.tif 000009
【図８】
2008092836.tif 000010
【図９】
2008092836.tif 000011
【図１０】
2008092836.tif 000012
【図１１】
2008092836.tif 000013
【図１２】
2008092836.tif 000014
【図１３】
2008092836.tif 000015
【図１４】
2008092836.tif 000016